(57)【要約】      （修正有）【課題】部品をプリント基板の所定位置に固定するとき、接着剤が硬化する迄の間にズレを修正して正しい位置に合わせることができ、且つハンダ付け作業中に位置がズレることがなく、また多数の端子が並列しているような部品を取り付ける場合には、各端子を一本づつ個別にハンダ付けすることなく簡単に短時間で行うことができ、而もきれいな仕上がり具合になるようにすることができ、且つ熱過多による部品破損を防ぐことができ、加えて常に作業者の手元に道具や材料を揃えておくことができるようにした表面実装部品取付けセットを提供する。【解決手段】遅硬化型接着剤を充填した接着剤塗布用シリンジ３又はチューブと、クリームハンダを充填したクリームハンダ塗布用シリンジ４又はチューブとをもって一セットとする。【選択図】図１
0003103258.tif 000002
【実用新案登録請求の範囲】
【請求項１】
遅硬化型接着剤を充填した接着剤塗布用シリンジ又はチューブと、クリームハンダを充填したクリームハンダ塗布用シリンジ又はチューブとをもって一セットとしてなる表面実装部品取り付けセット。
【請求項２】
接着剤塗布用シリンジとクリームハンダ塗布用シリンジの夫々についての交換用ノズルを複数セットとして組み込んでなる請求項１記載の表面実装部品取り付けセット。
【請求項３】
ソーダーウイックをセットとして組み込んでなる請求項１又は２記載の表面実装部品取り付けセット。
【考案の詳細な説明】
【技術分野】
【０００１】
本考案はプリント基板に電子部品を取り付けるために用いる表面実装部品取り付けセットに関するものである。
【背景技術】
【０００２】
プリント基板へのＩＣや抵抗等の電子部品の取り付けは、従来瞬間硬化型の熱硬化性接着剤を用いて行われていた。しかし、部品実装装置によって取り付けを行う場合には、装置が自動的に位置決めを行うために不都合はないが、例えば試作品を作る場合のように部品の一個一個を手作業で取り付ける場合には問題がある。即ち、作業者の手作業で一個一個部品を取り付ける場合には、ハンダ付け作業中に位置ズレを生じ易く、正確に合わせにくいが、この場合に瞬間硬化型の接着剤では一旦基板上に載置した電子部品の位置の修正を行うことが困難である。
【０００３】
また、手作業で部品を取り付ける場合においては、従来は糸ハンダを用いてハンダ付けしていた。しかし、この場合、例えば多数の端子が並列している部品のような場合には、各端子を一本づつ個別にハンダ付けしなければならないから手間と時間がかかり、且つまたハンダの量が区々になり、仕上がり具合もきれいにできなく、且つこの修正作業に手間取り、熱過多により部品を破損することがある。
【０００４】
そして、従来接着剤やハンダ等の部品取り付け作業に用いる道具や材料は、別々に仕舞っておくことが多く、実際に作業するときに手元になく、これを探したりする無駄な時間を費やすことも多い。
【考案の開示】
【考案が解決しようとする課題】
【０００５】
本考案は上記の点に鑑みなされたものであって、手作業で部品を取り付ける場合において、部品をプリント基板の所定位置に固定するとき、接着剤が硬化する迄の間にズレを修正して正しい位置に合わせることができ、且つハンダ付け作業中に位置ズレせず、また多数の端子が並列しているような部品を取り付ける場合には、各端子を一本づつ個別にハンダ付けすることなく簡単に短時間で行うことができ、而もきれいな仕上がり具合になるようにすることができ、且つ熱過多による部品破損を防ぐことができ、加えて常に作業者の手元に道具や材料を揃えておくことができるようになした表面実装部品取り付けセットを提供せんとするものである。
【課題を解決するための手段】
【０００６】
而して、本考案の要旨とするところは、遅硬化型接着剤を充填した接着剤塗布用シリンジ又はチューブと、クリームハンダを充填したクリームハンダ塗布用シリンジ又はチューブとをもって一セットとしてなる表面実装部品取り付けセットにある。
【０００７】
また、上記構成において、接着剤塗布用シリンジとクリームハンダ塗布用シリンジの夫々についての交換用ノズルを複数セットとして組み込むようにしてもよい。この場合には、接着剤塗布用シリンジやクリームハンダ塗布用シリンジのノズルが詰まったときに、一々溶剤や針等を用いて除去したりしないでノズルを新しいものに交換すればよく、時間のロスを少なくすることができる。
【０００８】
また、上記構成において、更にソーダーウイックをセットとして組み込むようにしてもよい。この場合には、ハンダ付けした後、余分なクリームハンダをこれを用いて容易に吸い取ることができる。
【考案の効果】
【０００９】
本考案によれば、手作業で部品を取り付ける場合において、部品をプリント基板の所定位置に固定するとき、接着剤が硬化する迄の間にズレを修正して正しい位置に合わせることができ且つハンダ付け作業中に位置ズレせず、また多数の端子が並列しているような部品を取り付ける場合には、各端子を一本づつ個別にハンダ付けすることなく簡単に短時間で行うことができ、而もきれいな仕上がり具合になるようにすることができ、且つ熱過多による部品破損を防ぐことができ、加えて常に作業者の手元に道具や材料を揃えておくことができるようになすことができるものである。
【００１０】
また、接着剤塗布用シリンジとクリームハンダ塗布用シリンジの夫々についての交換用ノズルを複数セットとして組み込むようになした場合には、接着剤塗布用シリンジやクリームハンダ塗布用シリンジのノズルが詰まったときに、一々溶剤や針等を用いて除去したりしないでノズルを新しいものに交換すればよく、時間のロスを少なくすることができる。また、ソーダーウイックをもセットとして組み込んだ場合には、ハンダ付けした後、余分なクリームハンダをこれを用いて容易に吸い取ることができるものである。
【考案を実施するための最良の形態】
【００１１】
本考案を実施するための最良の形態は、遅硬化型接着剤を充填した接着剤塗布用シリンジ又はチューブと、クリームハンダを充填したクリームハンダ塗布用シリンジ又はチューブとをもって一セットとしたことにある。
【実施例】
【００１２】
以下、本考案の実施例について説明する。
図１は本考案の一実施例の正面図、図２は図１に示した実施例を用いて部品の取り付け作業をする場合の説明図である。
【００１３】
図中、１は表面実装部品取り付けセットである。２は後記一セットの道具の収納容器の一例を示すものである。また、基本的には遅硬化型接着剤を充填した接着剤塗布用シリンジ３と、クリームハンダを充填したクリームハンダ塗布用シリンジ４とをもって一セットとするが、本実施例においては、これに余分なクリームハンダを吸い取るためのソーダーウイック５、並びに前記接着剤塗布用シリンジ３とクリームハンダ塗布用シリンジ４の夫々についての交換用ノズル６、７を複数セットとして組み込んでいる。尚、６Ａ、７Ａは前記接着剤塗布用シリンジ３とクリームハンダ塗布用シリンジ４に最初に装着するノズル、８は遅硬化型接着剤、９はクリームハンダである。また、本実施例においては接着剤及びクリームハンダの塗布をシリンジを用いて行うようにしているが、図示はしないがこれをチューブに代えてもよい。
【００１４】
また、遅硬化型接着剤としては、例えば、非腐食・難燃性シリコーンゴムからなる湿気硬化型接着剤を使用する。しかし、本考案は何らこれに限定されるものではない。
また、クリームハンダとしては、一般のクリームハンダと組成については同等であるが、フラックスの改良によって保存性が向上しているものを用いる。例えば、酸化物の少ない球状ハンダ粉を使用したソルダーペーストが好ましく、またペースト中に含まれるフラックスは、高チクソ性タイプのフラックスを使用する。しかし、本考案は何らこれに限定されるものではない。
【００１５】
次に、上記実施例を用いて部品の取り付け作業をする場合について説明する。
図２において（１）はプリント基板１０に遅硬化型接着剤８を塗布した状態を示している。これは接着剤塗布用シリンジ３によってその内部に充填された遅硬化型接着剤８を注出することによって行う。次に、図２における（２）に示す如く、多数の端子１１ａ、１１ａ、１１ａ・・・が並列している部品１１を、該遅硬化型接着剤８を用いてプリント基板１０上に接着する。このとき、接着剤は遅硬化型接着剤であるから、硬化するまでの間時間的な余裕がある。したがって、位置がズレてもこれを修正して正しい位置に合わせることができる。
【００１６】
次に、部品１１がプリント基板１０の正しい位置にあり、遅硬化型接着剤が硬化したら、図２における（３）に示す如く、クリームハンダ９を部品１１の並列した多数の端子１１ａ、１１ａ、１１ａ・・・に跨がって全体的に塗布する。これはクリームハンダ塗布用シリンジ４によってその内部に充填されたクリームハンダ９を注出することによって行う。これにより従来の如く各端子毎に個別に一本づつハンダ付けする手間と時間を省くことができる。また、クリームハンダは従来用いられていた糸ハンダよりも量が均一になるから、仕上がりもきれいになる。
【００１７】
次に、図２における（４）に示す如く、手持ちのハンダゴテ１２を用いてハンダ付けを行う。そして、その後図２における（５）に示す如く、フィレットの形状を修正し、ソーダーウイック５で余分なハンダを吸い取るものである。以上の作業により図２における（６）に示す如き状態に仕上がるものである。
【図面の簡単な説明】
【００１８】
【図１】本考案の一実施例の正面図である。
【図２】図１に示した実施例を用いて部品の取り付け作業をする場合の説明図である。
【符号の説明】
【００１９】
１  表面実装部品取り付けセット
２  収納容器
３  接着剤塗布用シリンジ
４  クリームハンダ塗布用シリンジ
５  ソーダーウイック
６、７  交換用ノズル
６Ａ、７Ａ  ノズル
８  遅硬化型接着剤
９  クリームハンダ
【図１】
0003103258.tif 000003
【図２】
0003103258.tif 000004
【手続補正書】
【提出日】平成16年3月10日(2004.3.10)
【手続補正１】
【補正対象書類名】実用新案登録請求の範囲
【補正対象項目名】全文
【補正方法】変更
【補正の内容】
【実用新案登録請求の範囲】
【請求項１】
遅硬化型接着剤を充填した接着剤塗布用シリンジ又はチューブと、クリームハンダを充填したクリームハンダ塗布用シリンジ又はチューブとをもって構成し、これらを収納容器に収納してなる表面実装部品取り付けセット。
【請求項２】
接着剤塗布用シリンジとクリームハンダ塗布用シリンジの夫々についての交換用ノズルも一緒に収納容器に収納してなる請求項１記載の表面実装部品取り付けセット。
【請求項３】
ソーダーウイックも一緒に収納容器に収納してなる請求項１又は２記載の表面実装部品取り付けセット。
【手続補正２】
【補正対象書類名】明細書
【補正対象項目名】全文
【補正方法】変更
【補正の内容】
【考案の詳細な説明】
【技術分野】
【０００１】
本考案はプリント基板に電子部品を取り付けるために用いる表面実装部品取り付けセットに関するものである。
【背景技術】
【０００２】
プリント基板へのＩＣや抵抗等の電子部品の取り付けは、従来瞬間硬化型の熱硬化性接着剤を用いて行われていた。しかし、部品実装装置によって取り付けを行う場合には、装置が自動的に位置決めを行うために不都合はないが、例えば試作品を作る場合のように部品の一個一個を手作業で取り付ける場合には問題がある。即ち、作業者の手作業で一個一個部品を取り付ける場合には、ハンダ付け作業中に位置ズレを生じ易く、正確に合わせにくいが、この場合に瞬間硬化型の接着剤では一旦基板上に載置した電子部品の位置の修正を行うことが困難である。
【０００３】
また、手作業で部品を取り付ける場合においては、従来は糸ハンダを用いてハンダ付けしていた。しかし、この場合、例えば多数の端子が並列している部品のような場合には、各端子を一本づつ個別にハンダ付けしなければならないから手間と時間がかかり、且つまたハンダの量が区々になり、仕上がり具合もきれいにできなく、且つこの修正作業に手間取り、熱過多により部品を破損することがある。
【０００４】
そして、従来接着剤やハンダ等の部品取り付け作業に用いる道具や材料は、別々に仕舞っておくことが多く、実際に作業するときに手元になく、これを探したりする無駄な時間を費やすことも多い。
【考案の開示】
【考案が解決しようとする課題】
【０００５】
本考案は上記の点に鑑みなされたものであって、手作業で部品を取り付ける場合において、部品をプリント基板の所定位置に固定するとき、接着剤が硬化する迄の間にズレを修正して正しい位置に合わせることができ、且つハンダ付け作業中に位置ズレせず、また多数の端子が並列しているような部品を取り付ける場合には、各端子を一本づつ個別にハンダ付けすることなく簡単に短時間で行うことができ、而もきれいな仕上がり具合になるようにすることができ、且つ熱過多による部品破損を防ぐことができ、加えて常に作業者の手元に道具や材料を揃えておくことができるようになした表面実装部品取り付けセットを提供せんとするものである。
【課題を解決するための手段】
【０００６】
而して、本考案の要旨とするところは、遅硬化型接着剤を充填した接着剤塗布用シリンジ又はチューブと、クリームハンダを充填したクリームハンダ塗布用シリンジ又はチューブとをもって構成し、これらを収納容器に収納してなる表面実装部品取り付けセットにある。
【０００７】
また、上記構成において、接着剤塗布用シリンジとクリームハンダ塗布用シリンジの夫々についての交換用ノズルも一緒に収納容器に収納するようにしてもよい。この場合には、接着剤塗布用シリンジやクリームハンダ塗布用シリンジのノズルが詰まったときに、一々溶剤や針等を用いて除去したりしないでノズルを新しいものに交換すればよく、時間のロスを少なくすることができる。
【０００８】
また、上記構成において、更にソーダーウイックも一緒に収納容器に収納するようにしてもよい。この場合には、ハンダ付けした後、余分なクリームハンダをこれを用いて容易に吸い取ることができる。
【考案の効果】
【０００９】
本考案によれば、手作業で部品を取り付ける場合において、部品をプリント基板の所定位置に固定するとき、接着剤が硬化する迄の間にズレを修正して正しい位置に合わせることができ且つハンダ付け作業中に位置ズレせず、また多数の端子が並列しているような部品を取り付ける場合には、各端子を一本づつ個別にハンダ付けすることなく簡単に短時間で行うことができ、而もきれいな仕上がり具合になるようにすることができ、且つ熱過多による部品破損を防ぐことができ、加えて常に作業者の手元に道具や材料を揃えておくことができるようになすことができるものである。
【００１０】
また、接着剤塗布用シリンジとクリームハンダ塗布用シリンジの夫々についての交換用ノズルも一緒に収納容器に収納するようにした場合には、接着剤塗布用シリンジやクリームハンダ塗布用シリンジのノズルが詰まったときに、一々溶剤や針等を用いて除去したりしないでノズルを新しいものに交換すればよく、時間のロスを少なくすることができる。また、ソーダーウイックをも一緒に収納容器に収納するようにした場合には、ハンダ付けした後、余分なクリームハンダをこれを用いて容易に吸い取ることができるものである。
【考案を実施するための最良の形態】
【００１１】
本考案を実施するための最良の形態は、遅硬化型接着剤を充填した接着剤塗布用シリンジ又はチューブと、クリームハンダを充填したクリームハンダ塗布用シリンジ又はチューブとをもって構成し、これらを収納容器に収納したことにある。
【実施例】
【００１２】
以下、本考案の実施例について説明する。
図１は本考案の一実施例の正面図、図２は図１に示した実施例を用いて部品の取り付け作業をする場合の説明図である。
【００１３】
図中、１は表面実装部品取り付けセットである。２は後記道具の収納容器の一例を示すものである。そしてまた、基本的には遅硬化型接着剤を充填した接着剤塗布用シリンジ３と、クリームハンダを充填したクリームハンダ塗布用シリンジ４とをもって構成し、これらを収納容器２に収納するものであるが、本実施例においては、これに余分なクリームハンダを吸い取るためのソーダーウイック５、並びに前記接着剤塗布用シリンジ３とクリームハンダ塗布用シリンジ４の夫々についての交換用ノズル６、７も一緒に収納容器２に収納している。尚、６Ａ、７Ａは前記接着剤塗布用シリンジ３とクリームハンダ塗布用シリンジ４に最初に装着するノズル、８は遅硬化型接着剤、９はクリームハンダである。また、本実施例においては接着剤及びクリームハンダの塗布をシリンジを用いて行うようにしているが、図示はしないがこれをチューブに代えてもよい。
【００１４】
また、遅硬化型接着剤としては、例えば、非腐食・難燃性シリコーンゴムからなる湿気硬化型接着剤を使用する。しかし、本考案は何らこれに限定されるものではない。
また、クリームハンダとしては、一般のクリームハンダと組成については同等であるが、フラックスの改良によって保存性が向上しているものを用いる。例えば、酸化物の少ない球状ハンダ粉を使用したソルダーペーストが好ましく、またペースト中に含まれるフラックスは、高チクソ性タイプのフラックスを使用する。しかし、本考案は何らこれに限定されるものではない。
【００１５】
次に、上記実施例を用いて部品の取り付け作業をする場合について説明する。
図２において（１）はプリント基板１０に遅硬化型接着剤８を塗布した状態を示している。これは接着剤塗布用シリンジ３によってその内部に充填された遅硬化型接着剤８を注出することによって行う。次に、図２における（２）に示す如く、多数の端子１１ａ、１１ａ、１１ａ・・・が並列している部品１１を、該遅硬化型接着剤８を用いてプリント基板１０上に接着する。このとき、接着剤は遅硬化型接着剤であるから、硬化するまでの間時間的な余裕がある。したがって、位置がズレてもこれを修正して正しい位置に合わせることができる。
【００１６】
次に、部品１１がプリント基板１０の正しい位置にあり、遅硬化型接着剤が硬化したら、図２における（３）に示す如く、クリームハンダ９を部品１１の並列した多数の端子１１ａ、１１ａ、１１ａ・・・に跨がって全体的に塗布する。これはクリームハンダ塗布用シリンジ４によってその内部に充填されたクリームハンダ９を注出することによって行う。これにより従来の如く各端子毎に個別に一本づつハンダ付けする手間と時間を省くことができる。また、クリームハンダは従来用いられていた糸ハンダよりも量が均一になるから、仕上がりもきれいになる。
【００１７】
次に、図２における（４）に示す如く、手持ちのハンダゴテ１２を用いてハンダ付けを行う。そして、その後図２における（５）に示す如く、フィレットの形状を修正し、ソーダーウイック５で余分なハンダを吸い取るものである。以上の作業により図２における（６）に示す如き状態に仕上がるものである。
【図面の簡単な説明】
【００１８】
【図１】本考案の一実施例の正面図である。
【図２】図１に示した実施例を用いて部品の取り付け作業をする場合の説明図である。
【符号の説明】
【００１９】
１  表面実装部品取り付けセット
２  収納容器
３  接着剤塗布用シリンジ
４  クリームハンダ塗布用シリンジ
５  ソーダーウイック
６、７  交換用ノズル
６Ａ、７Ａ  ノズル
８  遅硬化型接着剤
９  クリームハンダ